(57)【要約】  【課題】  菊割れフタを劣化させ難い流しの異臭除去機構を提供すること。  【解決手段】  流しの排水口６のゴミ受けカゴ７の上部に設けられ、中心側ほど細幅で根元部には穴部９を有する複数の舌片４を備えた菊割れフタ１と、通気孔２２を有し、前記菊割れフタ１の裏ｍ側に着脱自在に設置されるカートリッジ２０と、このカートリッジ２０内に収容され、前記通気孔２２を介して異臭を吸着により消す消臭作用を有する薬剤１９と、菊割れフタ１直下の排水口空間Ｓを閉鎖する手段１７とを備えている。【選択図】    図１
2006249741.tif 000002
【特許請求の範囲】
【請求項１】
流しの排水口のゴミ受けカゴの上部に設けられ、中心側ほど細幅で根元部には穴部を有する複数の舌片を備えた菊割れフタと、通気孔を有し、前記菊割れフタの裏側に着脱自在に設置されるカートリッジと、このカートリッジ内に収容され、前記通気孔を介して異臭を吸着により消す消臭作用を有する薬剤と、菊割れフタ直下の排水口空間を閉鎖する手段とを備えたことを特徴とする流しの異臭除去機構。
【請求項２】
前記薬剤が無機系の消臭剤である請求項１に記載の流しの異臭除去機構。
【請求項３】
前記排水口空間を閉鎖する手段として、前記穴部を覆う薄膜を備えた請求項１または２に記載の流しの異臭除去機構。
【請求項４】
前記排水口空間を閉鎖する手段として、前記菊割れフタを覆う蓋を備えた請求項１または２に記載の流しの異臭除去機構。
【請求項５】
前記菊割れフタおよび／または蓋が、バイオフィルムの形成を阻害する薬剤又は抗菌作用を有する薬剤を添加して形成されている請求項１〜４のいずれかに記載の流しの異臭除去機構。
【発明の詳細な説明】
【技術分野】
【０００１】
この発明は、流しの異臭除去機構に関するものである。
【背景技術】
【０００２】
流しの排水口の異臭を消す流しの異臭除去機構として、流しのゴミ受けカゴの上部に設けられる菊割れフタを覆う蓋の裏側に消臭作用を有する薬剤を直接設けたものがある。
【発明の開示】
【発明が解決しようとする課題】
【０００３】
ところで、前記異臭除去機構は、前記薬剤から発生したガスを利用して消臭するもので、そのガスはゴム製の菊割れフタの劣化の原因の一つとなっていた。
【０００４】
この発明は、上述の事柄に留意してなされたもので、その目的は、菊割れフタを劣化させ難い流しの異臭除去機構を提供することである。
【課題を解決するための手段】
【０００５】
上記目的を達成するために、この発明の流しの異臭除去機構は、流しの排水口のゴミ受けカゴの上部に設けられ、中心側ほど細幅で根元部には穴部を有する複数の舌片を備えた菊割れフタと、通気孔を有し、前記菊割れフタの裏側に着脱自在に設置されるカートリッジと、このカートリッジ内に収容され、前記通気孔を介して異臭を吸着により消す消臭作用を有する薬剤と、菊割れフタ直下の排水口空間を閉鎖する手段とを備えたことを特徴としている（請求項１）。
【０００６】
この場合、前記薬剤が無機系の消臭剤であるのが好ましく（請求項２）、前記薬剤として、例えば、東亜合成株式会社製のケスモン（商標）が用いられる。この薬剤は、例えば４ｍｍ程度の粒状であり、別の市販の塩素系消臭薬剤のように当該薬剤から発生した塩素ガスにより排水口の異臭を消すのではなく、異臭を吸着により消す消臭剤である。また、前記市販の塩素系消臭薬剤では、発生する前記塩素ガスはゴム製の菊割れフタの劣化の原因の一つになるおそれがあったり、前記塩素ガスにより健康上の問題も生じるという問題がある。しかし、この発明で用いる前記無機系の消臭剤は異臭を吸着により消す機能を持つのでこのような懸念はなく、安全性が高い。  
【０００７】
この発明では、前記排水口空間を閉鎖する手段として、前記穴部を覆う薄膜を備えるのが好ましい（請求項３）。
【０００８】
また、この発明では、前記排水口空間を閉鎖する手段として、前記菊割れフタを覆う蓋を備えるのが好ましい（請求項４）。
【０００９】
さらに、この発明では、前記菊割れフタおよび／または蓋を、バイオフィルムの形成を阻害する薬剤又は抗菌作用を有する薬剤を添加して形成するのが好ましい（請求項５）。  ここでバイオフィルムとは、微生物が排出するスライムで囲まれた微生物の集合体で、ヌメリの薄膜である。このバイオフィルムの形成を阻害すればヌメリ発生防止に大きな効果が得られる。そして、バイオフィルムの形成を阻害する薬剤としては、例えばダイマー３８（商品名；イヌイ株式会社製）があり、これは有害なガスを発生することがなく人体に対しては安全性が高い。このバイオフィルムの形成を阻害する薬剤は、第４アンモニウム塩を主たる成分としている。
また、前記抗菌作用を有する薬剤として、例えば東亜合成株式会社製のカビノン（商標）を用いた。これは、イソチアゾリン系有機剤とシリカ系無機剤のハイブリッド（複合）材料を含むものである。ここで、抗菌とは、殺菌、滅菌を含む概念である。
【発明の効果】
【００１０】
この発明では、薬剤として、異臭を吸着により消す消臭剤を用いているので、別の市販の塩素系消臭薬剤のようにガスの発生がなく、ゴム製の菊割れフタが劣化するおそれはなくなる。そして、菊割れフタ直下の排水口空間を閉鎖する手段により、排水口空間に溜まっている異臭を吸着により効果的に消すことができる。
【発明を実施するための最良の形態】
【００１１】
以下、この発明の実施例を、図を参照しながら説明する。なお、それによってこの発明は限定されるものではない。
【００１２】
図１〜図４は、この発明の一実施例を示す。なお、図４は、菊割れフタを示すが、正面向かって左側にその上面図が、正面向かって右側にその下面図が示されている。
図１〜図４において、１は、菊割れフタで、塑性変形を少ない材料で形成されている。この材料としては、例えばエチレン・プロピレン・ジエン系ゴム（ＥＰＤＭ）を主たる材料として挙げることができる。菊割れフタ１は、上方開口２を形成する環状枠部３と、中心側ほど細幅で根元部には穴部９を有する複数の菊割れ状の舌片４で構成される平面視円形で菊割れ状の底部５とを備えており、流しの排水口６内に設けられるゴミ受けカゴ７の上方に位置するよう前記環状枠部３を介して排水口６内に嵌め込まれる。前記穴部９は舌片４，４間に設けられており、円周方向よりも径方向に長い。前記穴部９は排水があったときに舌片４を変形し易くして舌片４，４間から排水が流れるのを許容するために設けられている。前記ゴミ受けカゴ７は、上方開口を有する有底の筒状で、胴部および底面部を有している。前記舌片４は、裏面ｍ側に径方向に形成されたリブ８を有する。なお、前記環状枠部３は、同心円状で下向きに形成された環状溝１０，１１を介して隣接している複数のリング部１２〜１４よりなり、また、前記各環状溝１０，１１の底部１５，１６に連なる切り取り部分を有し、更に、前記底部１５，１６が先細りのテーパ形状をなしている。
【００１３】
以下、この発明の特徴的構成について説明する。
１７は、前記穴部９を覆う薄膜で、全ての穴部９に設けられている。この薄膜１７としては、後述するような既存の菊割れフタ１’（図６参照）の舌片３６と同様に、舌片４，４間から排水が流れるのを許容するよう舌片４の弾性を阻害しない材料を用いている。また、既存の菊割れフタ１’は舌片３６の根元の穴部９以外に底部５の中心部分に丸孔３７を有するが、この発明では、ゴミ受けカゴ７が位置する菊割れフタ１直下の排水口空間Ｓを外部空間Ｓ’から閉鎖するために、前記薄膜１７で穴部９を覆うとともに、舌片４の中心側の頂点部分４ａ同士を当接させている〔図１（Ａ）参照〕。つまり、既存の菊割れフタ１’にあった丸孔３７を無くすよう全ての舌片３６の中心側の先端部３６ａをさらに延ばすことによって、この発明では三角形状の頂点部分４ａを有する舌片４としている。そして、菊割れフタ１が塑性変形を少ない材料で形成されるので、舌片４の前記頂点部分４ａ，４ａ同士を、隙間を形成することなく密着した状態でしっかりと当接させることができ、前記薄膜１７とで排水口空間Ｓを閉鎖できる。
【００１４】
１８は、前記複数のリング部１２〜１４のうち、最も内側のリング部１２の裏面に形成された環状の溝である。そして、この溝１８に、消臭作用を有する４ｍｍ程度の多数の粒状の無機系の薬剤〔例えば、上述した東亜合成株式会社製のケスモン（商標）〕１９が収容されたリング状のカートリッジ２０が着脱自在に設置されている。なお、この実施例では、リング部１２の下面は他のリング部１３，１４の下面よりも下方に突出している菊割れフタ１を用いた。カートリッジ２０は、合成樹脂製であって、縦断面円形で、上下二つ割りに構成されており、複数の前記薬剤１９を収容した後上面部２０ａと下面部２０ｂを接合する。図１（Ｂ）における２３は、その接合面を示す。なお、接合以外に、蝶番を設けて上面部２０ａと下面部２０ｂを開閉自在に構成してもよい。
そして、カートリッジ２０の上面部２０ａが前記溝１８に入り込む形で菊割れフタ１に保持される。すなわち、カートリッジ２０の上面部２０ａにおける外周Ｍには、溝１８の内周面Ｎに食い込む形状の複数の係止爪２１が適宜間隔を有して設けられている。また、カートリッジ２０の下面部２０ｂには、下面部２０ｂの底ｂよりも高い位置で底ｂの径方向両側に異臭が通過する一対の適宜大きさの通気孔２２，２２よりなる多数の組が適宜間隔をおいて円周方向に設けられている。通気孔２２は、例えば４ｍｍ程度の粒状の薬剤１９が外へ出てしまわない大きさに設定されている。そして、カートリッジ２０が菊割れフタ１に保持されている状態では、下面部２０ｂは溝１８より露出しており、多数の通気孔２２は排水口空間Ｓ内において斜め下方を向いている。
なお、通気孔２２の代わりに下面部２０ｂに薬剤１９が外へ出てしまわない大きさに形成された所定幅のリング状の通気孔を一組、あるいはそれ以上設けてもよい。また、この発明では、カートリッジ２０の菊割れフタ１への保持手段は溝１８および係止爪２１に限定されるものではない。
【００１５】
また、この実施例では、菊割れフタ１は、主たる材料のＥＰＤＭに着色剤を含ませ、かつ、例えばバイオフィルムの形成を阻害する薬剤を重量比で１〜３％添加して形成されている。なお、ＥＰＤＭに着色剤を含ませ、かつ、抗菌作用を有する粉末状の薬剤を重量比で２〜１０％添加して菊割れフタ１を形成してもよく、あるいは、ＥＰＤＭに着色剤を含ませ、かつ、バイオフィルムの形成を阻害する薬剤と抗菌作用を有する粉末状の薬剤の両方を適宜の量だけ添加して菊割れフタ１を形成してもよい。
【００１６】
而して、菊割れフタ１の穴部９を薄膜１７で覆うとともに、舌片４の頂点部分４ａ，４ａ同士を当接させることにより、菊割れフタ１直下の排水口空間Ｓを閉鎖することができ、排水口空間Ｓに溜まっている異臭を吸着により効果的に消すことができる。すなわち、ゴミ受けカゴ４、菊割れフタ１の裏側に付着している生ゴミ、あるいは、下水からの異臭を効果的に消すことができる。
【００１７】
また、薬剤１９として、異臭を吸着により消す消臭剤を用いているので、別の市販の塩素系消臭薬剤のようにガスの発生がなく、ゴム製の菊割れフタ１が劣化するおそれはなくなる。    
【００１８】
しかも、この実施例では、バイオフィルムの形成を阻害する薬剤又は抗菌作用を有する薬剤を添加して菊割れフタ１を形成しているので、長年にわたり菊割れフタ１にヌメリが生じ難いようにできる。
【００１９】
図５、図６は、菊割れフタ１の環状枠部３８の内側リング部１２の下面とこれより外側のリング部１３の下面が面一である菊割れフタ１を用いるとともに、菊割れフタ直下の排水口空間Ｓを閉鎖する手段として、菊割れフタ１を覆う蓋を備えたこの発明の他の実施例を示す。なお、図５、図６において、図１〜図４で用いた符号と同一のものは同一または相当物である。
【００２０】
図５、図６において、流し３０の排水口３１に設置されている金属製のメッシュ状ゴミ受けカゴ３２に薬剤３３を収容する複数の収容部３４を備えたリング体３５を保持させている。前記薬剤３３は、ヌメリ除去作用および／または殺菌作用を有する水溶性の薬剤であって、さらに、この薬剤２４には銅のさびが発生するのを防止する成分（例えばベンゾトリアゾールやトリルトリアゾールあるいはメルカプトベンゾチアゾールなど）を含ませてある。
【００２１】
流し３０の排水口３１には、下流側が排水パイプ（図示せず）に接続するよう取り付けられた、ほぼ筒状のゴミ受けカゴ収容容器３４と、この収容容器３４内の上部の空間Ｓに着脱自在に収容される、有底でほぼ筒状のゴミ受けカゴ３２と、このゴミ受けカゴ３２を覆うよう、前記収容容器３４の上方開口３４ａにはめ込まれて使用されるゴム製の菊割れフタ１とが備わっている。ゴミ受けカゴ収容容器３４の下部はトラップＴに形成されている。前記収容容器３４は公知のものが使用されている。前記収容容器３４は、上方開口３４ａを形成する環状の上端周面部３５に設けた外向きフランジ３６が排水口３１の上端内周面部Ｑ上に保持されることで排水口３１に設置されている。菊割れフタ１は図６に示すように、底部５に複数の菊割れ舌片３６を有し、例えば底部５の中心部分に小さな丸孔３７を有するとともに、ゴミ受けカゴ３２に連通する複数の穴部９を舌片３６の根元に有して前記カゴ３２内に溜まるゴミが見え難い形状をしている。３８は菊割れフタ１の上方開口３８ａを形成する環状枠部、３９は環状枠部３８の内周面、４０は環状枠部３８の外周面である。そして、外周面４０と上端周面部３５の内周面４１とが当接する形で菊割れフタ１が前記収容容器３４の上方開口３４ａにはめ込まれる。
【００２２】
ゴミ受けカゴ３２は、平面視円形でメッシュ状の底部４２と、筒状でメッシュ状の胴部本体４３と、胴部本体４３から上方に連設された環状の上端周面部４４とで主として構成されている。４４ａはゴミ受けカゴ３２の上方開口で、前記上端周面部４４によって形成されている。また、上端周面部４４には外向きフランジ４５が設けられており、この外向きフランジ４５がゴミ受けカゴ収容容器３４の上端周面部３５の下部内周面に設けた段差面４７上に当接状態で保持されることによって前記収容容器３４内にゴミ受けカゴ３２が設置されている。
【００２３】
この実施例でも上記実施例と同様に、リング部１２の裏面に形成された環状の溝１８に、消臭作用を有する４ｍｍ程度の多数の粒状の無機系の薬剤〔例えば、上述した東亜合成株式会社製のケスモン（商標）〕１９が収容されたリング状のカートリッジ２０が着脱自在に設置されている。そして、下面部２０ｂの底ｂがゴミ受けカゴ３２の外向きフランジ４５の上面４５ａに当たらない長さに、下面部２０ｂの底ｂにおけるリング部１２下面からの下方突出長さＬが設定されている。
【００２４】
そして、この実施例では、菊割れフタ直下の排水口空間Ｓを閉鎖する手段として、菊割れフタ１を覆う蓋５０を備えている。この蓋５０は、バイオフィルムの形成を阻害する薬剤又は抗菌作用を有する薬剤を添加して形成されている。
【００２５】
而して、流しの排水の一部は収容部３４内に流入して薬剤３３の一部を溶解させるとともに、収容部３４内から溶解液が直下のゴミ受けカゴ３２に至りゴミ受けカゴ３２の例えばヌメリを除去できるとともに、銅のさびが発生するのを防止できてゴミ受けカゴ３の抗菌機能を長持ちさせることができる。このとき、収容部３４に設けた溶解液案内片５２の表面を伝わる溶解液は直接落下して底部４２に至るとともに、溶解液案内片５２から胴部４３に至ることから、確実に溶解液が上端周面部４４以外のメッシュ部分４２，４３に行き渡る。そして、一旦排水が無くなった状態では、すなわち、収容部３４内に排水が流入しなくなった状態では、先に収容部３４内に流入し溜まった排水によって薬剤３３の一部は溶解しており、収容部３４に設けた流入孔３４ａは収容部３４に設けた流出孔３４ｂよりも低い位置に設けられているので、収容部３４内に排水が溜まっており、溶解液は飽和液になり易くなる。つまり、薬剤３３の溶解が安定する。この状態で排水があると、飽和溶解液を薄める形で、かつ、飽和溶解液に混じって溶解液が収容部３４から流出する。よって、ゴミ受けカゴ３２の例えばヌメリを効果的に除去できるとともに、銅のさびが発生するのを防止できる。
【００２６】
さらに、蓋５０で菊割れフタ１を覆うことにより、菊割れフタ１直下の排水口空間Ｓを閉鎖することができ、排水口空間Ｓに溜まっている異臭を効果的に消すことができる。すなわち、ゴミ受けカゴ４、菊割れフタ１の裏側に付着している生ゴミ、あるいは、下水からの異臭を効果的に消すことができる。
【００２７】
また、薬剤１９として、異臭を吸着により消す消臭剤を用いているので、別の市販の塩素系消臭薬剤のようにガスの発生がなく、ゴム製の菊割れフタ１が劣化するおそれはなくなる。    
【００２８】
図７は、この発明の更に他の実施例を示す。なお、図７において、図１〜図６で用いた符号と同一のものは同一または相当物である。
【００２９】
この実施例では、リング状のカートリッジ２０の縦断面形状を半円形あるいは楕円形に形成している。カートリッジ２０は上記各実施例と同様に二つ割りに構成されている。そして、カートリッジ２０の底部はリング部１２下面から下方に突出しているが、カートリッジ２０の底部の平坦面６０がゴミ受けカゴ３２の外向きフランジ４５の上面４５ａに当たらないように、Ｏリング７０を介して、平坦面６０と上面４５ａ間に上下方向における長さがＬ’の隙間が形成されている。また、この実施例では、通気穴２２をカートリッジ２０の平坦面６０におけるＯリング７０の外側、内側に適宜間隔をおいて円周方向に設けられている。なお、通気穴２２を設ける位置は、平坦面６０に限られるものではなく、前記溝１８に入り込むカートリッジ２０の上面部以外ならいずれの位置に通気穴２２を設けてもよい。また、通気孔２２の代わりに薬剤１９が外へ出てしまわない大きさに形成された所定幅のリング状の通気孔を一組、あるいはそれ以上設けてもよい。  
【図面の簡単な説明】
【００３０】
【図１】（Ａ）は、この発明の一実施例において、菊割れフタとゴミ受けカゴの取り付け状態を示す構成説明図である。（Ｂ）は、上記実施例で用いたカートリッジを示す縦断面図である。
【図２】上記実施例における菊割れフタを示す図である。
【図３】上記実施例で用いたカートリッジを示す底面図である。
【図４】上記実施例で用いた菊割れフタを示す図である。
【図５】この発明の他の実施例において、ゴミ受けカゴと菊割れフタの取り付け状態を示す構成説明図である。
【図６】上記他の実施例で用いた菊割れフタとこれを覆う蓋を示す分解斜視図である。
【図７】この発明の更に他の実施例で用いたカートリッジを示す構成説明図である。
【符号の説明】
【００３１】
１              菊割れフタ
４              舌片
６              排水口
７              ゴミ受けカゴ
９              穴部
１７            薄膜
１８            溝
１９            薬剤
２０            カートリッジ
２２            通気孔
Ｓ              排水口空間
【図１】
2006249741.tif 000003
【図２】
2006249741.tif 000004
【図３】
2006249741.tif 000005
【図４】
2006249741.tif 000006
【図５】
2006249741.tif 000007
【図６】
2006249741.tif 000008
【図７】
2006249741.tif 000009